(57)【要約】【課題】収容時には各６面が略正方形となるような立方体を成し、回転体の展開時には動物、テレビや映画に登場するキャラクター、その他の形象を模した形象を構成する変形玩具を提供すること。【解決手段】  左右一対の連結板と、当該連結板の内側面に収容形態から展開形態へ可逆的に回動可能に軸支された第１および第２の回動部材と、前記各連結板の各外側面において前記第１の回動部材と同軸上に収容形態から展開形態へ可逆的に回動可能に軸支された第３および第４の回動部材と、前記各連結板の各外側面において、前記第２の回動部材と同軸上に収容形態から展開形態へ可逆的に回動可能に軸支された第５および第６の回動部材を有し、前記各第１乃至第６の回動部材は、収容形態の場合には全体として略正立方体となる外観形状を成し、展開形態の場合には動物等の特定の形象を成すように構成されている。【選択図】図１
2005205107.tif 000002
【特許請求の範囲】
【請求項１】
内側面が互いに対向するように間隔を隔てて平行に配置された左右一対の連結板と、
当該左右の連結板の内側面に収容形態から展開形態へ可逆的に回動可能に軸支された第１および第２の回動部材と、
前記左右の連結板の各外側面において収容形態から展開形態へ可逆的に回動可能に軸支された第３および第４の回動部材と、
前記左右の連結板の各外側面において収容形態から展開形態へ可逆的に回動可能に軸支された第５および第６の回動部材とを有し、
前記各第１乃至第６の回動部材は、収容形態の場合には全体として略正立方体となる外観形状を成し、展開形態の場合には動物等の特定の形象を成すように構成されたことを特徴とする変形玩具。
【請求項２】
前記第１の回動部材は前記左右の連結板の表裏において前記第３および第４の回動部材と同軸となる位置に軸支され、
前記第２の回動部材は前記左右の連結板の表裏において前記第５および第６の回動部材と同軸となる位置に軸支されていることを特徴とする請求項１記載の変形玩具。
【請求項３】
前記左右の連結板には、前記第３および第４の回動部材を支持するための支軸と、前記第５および第６の回動部材を支持するための支軸がそれぞれ一体的に形成されていることを特徴とする請求項１又は２記載の変形玩具。
【請求項４】
前記第１乃至第６の各回動部材は、回動軸方向の寸法が略同一の肉厚となるように形成されており、前記第１および第２の回動部材又は第３乃至第６の回動部材には、前記連結板と摺接する部分を当該連結板の板厚に相当する分薄く形成した摺接部を形成していることを特徴とする請求項１乃至３のいずれか一項記載の変形玩具。
【請求項５】
第１および第２の回動部材と第３乃至第６の各回動部材とを連結する軸体を有し、当該軸体により前記連結板を介して第１および第２の回動部材と第３乃至第６の各回動部材とを連結したことを特徴とする請求項１記載の変形玩具。
【請求項６】
前記第１乃至第６の各回動部材は、回動軸方向の寸法が略同一の肉厚となるように形成されており、前記第１および第２の回動部材又は第３乃至第６の回動部材には、前記連結板と摺接する部分を当該連結板の板厚に相当する分薄く形成した摺接部が形成されていることを特徴とする請求項５記載の変形玩具。
【発明の詳細な説明】
【技術分野】
【０００１】
本願発明は、外観形状を変化させることができる変形玩具に関する。
【背景技術】
【０００２】
従来、複数の板体を隙間をもって重ね合わせ、この隙間内にて少なくとも一つの回動片を支持し、さらにこの回動片の形状を該隙間内にその全体を収めることができ、かつ回動により該隙間から引き出した際には前記板体とともに特定の具象物の形状を成すものとした知育玩具（特許文献１）が知られている。
【特許文献１】実開昭６０−１０２０８９号公報
【発明の開示】
【発明が解決しようとする課題】
【０００３】
上記従来の知育玩具は、回動片の収容時には正面視において矩形となるような形状を成し、回動片の展開時には猫等の動物を模した具象物を形成するものである。すなわち、動物の胴体に相当する部位が矩形の板体であり、当該矩形の板体に頭部やしっぽ、足等が取り付けられたものである。
しかし、胴体部の形状が正方形に近い矩形形状に限られるのでは表現しようとする形象が限られてしまっていた。
【０００４】
本願発明は上記課題に鑑み発明されたものであって、収容時には各６面が略正方形となるような立方体を成し、回転体の展開時には動物、テレビや映画に登場するキャラクター、その他の形象を模した形象を構成する変形玩具を提供することを目的とする。
【課題を解決するための手段】
【０００５】
本願発明は上記課題に鑑み、請求項１記載の発明は以下に述べる手段を有する。すなわち、
内側面が互いに対向するように間隔を隔てて平行に配置された左右一対の連結板と、
当該左右の連結板の内側面に収容形態から展開形態へ可逆的に回動可能に軸支された第１および第２の回動部材と、
前記左右の連結板の各外側面において収容形態から展開形態へ可逆的に回動可能に軸支された第３および第４の回動部材と、
前記左右の連結板の各外側面において収容形態から展開形態へ可逆的に回動可能に軸支された第５および第６の回動部材とを有し、
前記各第１乃至第６の回動部材は、収容形態の場合には全体として略正立方体となる外観形状を成し、展開形態の場合には動物等の特定の形象を成すように構成されたことを特徴とする変形玩具。
【０００６】
また、請求項２記載の発明は以下に述べる手段を有する。すなわち、
前記第１の回動部材は前記左右の連結板の表裏において前記第３および第４の回動部材と同軸となる位置に軸支され、
前記第２の回動部材は前記左右の連結板の表裏において前記第５および第６の回動部材と同軸となる位置に軸支されていることを特徴とする請求項１記載の変形玩具。
【０００７】
また、請求項３記載の発明は以下に述べる手段を有する。すなわち、
前記左右の連結板には、前記第３および第４の回動部材を支持するための支軸と、前記第５および第６の回動部材を支持するための支軸がそれぞれ一体的に形成されていることを特徴とする請求項１又は２記載の変形玩具。
【０００８】
また、請求項４記載の発明は以下に述べる手段を有する。すなわち、
前記第１乃至第６の各回動部材は、回動軸方向の寸法が略同一の肉厚となるように形成されており、前記第１および第２の回動部材又は第３乃至第６の回動部材には、前記連結板と摺接する部分を当該連結板の板厚に相当する分薄く形成した摺接部を形成していることを特徴とする請求項１乃至３のいずれか一項記載の変形玩具。
【０００９】
また、請求項５記載の発明は以下に述べる手段を有する。すなわち、
第１および第２の回動部材と第３乃至第６の各回動部材とを連結する軸体を有し、当該軸体により前記連結板を介して第１および第２の回動部材と第３乃至第６の各回動部材とを連結したことを特徴とする請求項１記載の変形玩具。
【００１０】
また、請求項６記載の発明は以下に述べる手段を有する。すなわち、
前記第１乃至第６の各回動部材は、回動軸方向の寸法が略同一の肉厚となるように形成されており、前記第１および第２の回動部材又は第３乃至第６の回動部材には、前記連結板と摺接する部分を当該連結板の板厚に相当する分薄く形成した摺接部が形成されていることを特徴とする請求項５記載の変形玩具。
【発明の効果】
【００１１】
本願発明に係る変形玩具は、回転体の収容時には略正立方体を成し、回転体の展開時にはモチーフとなる動物やテレビや映画に登場するキャラクターの特徴を十分に表現することができる変形玩具の構造を提供することができる。その結果、動物等を連想させることのない単純形状から動物等へ形態を変形させることができ、知育的効果の高い遊びを提供することができるという作用効果を有している。
また、幼児の小さな手でも扱いやすい大きさに形成されており、立方体の状態から所定の動物形状への形態変化は、連結板を中心として各回動部材を展開するように回動させるだけでよく、幼児であっても簡単に取り扱うことができるようになっている。
また、各回動部材は軸体等を用いて適度な摩擦力により結合を保持できるような嵌め合わせにより結合されているものであるから、幼児の力によっても容易に結合・分離ができるようになっている。したがって、部材の回転による単純な変形遊びに飽きたとしても、分解して組み立てるという、一段階高度な遊びを提供することができる。このように一つの玩具であって形態変形と分解・組み立てという２種類の知育的な遊びを提供することができるという作用効果を有している。
さらに、各回動部材は、立方体形状時には隠れている連結板を中心として展開するようになっている。したがって、従来技術のように中心に位置する部材が矩形形状の部材である必要はないのでデザインの自由度が高く、所定の形象に合わせて形状を設定することができ、種々の形態の変形玩具を形成することができるという作用効果を有している。
【発明を実施するための最良の形態】
【００１２】
以下、本願発明の変形玩具に関する第１乃至第４の実施の形態を説明する。なお、以下の説明中、前・後、上・下、左・右、正面・背面等の向きは原則として変形玩具を中心として表したものである。
［第１の実施の形態］
第１の実施の形態を図面を用いて説明する。以下に説明する変形玩具は、立方体（収容時）から動物その他の所定の形象（展開時）へ形態を可逆的に変化させることができる玩具である。図１は、本願発明に係る変形玩具の一実施の形態を説明するための説明図である。
以下、本願発明の１実施の形態を図面を用いて説明する。以下に説明する変形玩具は、立方体（収容時）から動物その他の所定の形象（展開時）へ形態を可逆的に変化させることができる玩具である。図１は、本願発明に係る変形玩具の一実施の形態を説明するため
の説明図である。なお、前・後、上・下、正面・背面、底等の向きを表す説明は変形玩具を中心として説明するものであり、原則として図示された状態と一致するものである。
図１（ａ）は変形玩具１を構成する構成要素の一部を表した分解斜視図であり、左右一対として設けられている連結板２、３と、当該連結板２、３に回動自在に軸支された第１の回動部材４と第２の回動部材５を表している。連結板２、３と第１の回動部材４および第２の回動部材５は、ともに合成樹脂の一体成形により形成されたものである。
連結板２は、一辺（図１（ａ）に示した状態における下縁）の長さが略３０ｍｍ長の直線状の底縁６と、当該底縁６の両端において底縁６と略直角に設けられた前縁７および後縁８を有した板状体である。また、当該連結板２の裏面（内側面）には、前記第１の回動部材４を軸支するための円柱状の支軸９および第２の回動部材５を回動自在に軸支するための円柱状の支軸１０が設けられている。
また、当該連結板２の表面（外側面）には、後述する第３の回動部材を回動自在に軸支するための円柱状の支軸１１および第５の回動部材を回動自在に軸支するための円柱状の支軸１２が設けられている。当該支軸１１と前記支軸９および支軸１２と支軸１０は、それぞれ連結板２の表裏面において同軸となるように設けられている。
前記各支軸は、前記各回転体に設けた孔と嵌合することにより各回転体を回転可能に支持し、各支軸表面と孔内面の嵌め合いによる摩擦力により回動位置を保持するようになっている。
【００１３】
また、連結板３は、前記連結板２と同一の形状に形成された部材であり、底縁１６と、当該底縁１６の両端に略直角に設けた前縁１７および後縁１８を有した板状体として形成されている。当該連結板３の裏面（内側面）には、前記第１の回動部材４を軸支するための支軸１９および第２の回動部材５を回動自在に軸支するための支軸２０が設けられており、表面（外側面）には、後述する第４の回動部材を回動自在に軸支するための支軸２１および第６の回動部材を回動自在に軸支するための支軸２２が設けられている。当該支軸２１と前記支軸１９および支軸２２と支軸２０は、それぞれ連結板３の表裏面において同軸となるように設けられている。
前記各支軸は、連結板３より突出した円柱状の突起であり、当該突起と前記各回転体に設けた孔を嵌合させることにより回転可能に支持し、突起表面と孔内面の嵌め合いによる摩擦力により回動位置を保持するようになっている。
【００１４】
前記連結板２と連結板３は、内側面が互いに対向するように間隔を隔てて平行に配置され、当該対向した内側面に前記第１の回動部材４および第２の回動部材５を回動可能に軸支するようになっている。すなわち、第１の回動部材４と第２の回動部材５は、連結板２と連結板３に左右両側を挟まれた状態で、連結板２と連結板３の内側で回動可能となっている。
第１の回動部材４は、厚さ（左右方向の幅）が略１０ｍｍであり、外形形状の輪郭が動物の頭部を模した形状に形成されている。当該第１の回動部材４には、連結板２内面の支軸９および連結板３内面の支軸１９に対して嵌合する貫通孔２３が形成されている。
図１（ａ）に示した状態において、第１の回動部材４の底面２４は一辺の長さが略３０ｍｍの長さに形成され、当該底面２４の前端には当該底面２４と略直角面となる前面２５が設けられ、底面２４の後端には当該底面２４と略直角面となる後面２６が設けられている。前記貫通孔２３は、中心位置が底面２４と後面２６とから等距離となる位置になっており、第１の回動部材４が展開している場合（図１（ａ）に示した状態）には底面２４が連結板２の底縁６および連結板３の底縁１６と略同一面となり、第１の回動部材４が収容された場合（９０度回動した場合）には後面２６と連結板２の底縁６および連結板３の底縁１６と略同一面かつ底面２４が連結板２の前縁７および連結板３の前縁１７と略同一面となるようになっている。
【００１５】
第２の回動部材５は、厚さ（回転軸方向の幅）が略１０ｍｍであり、外形形状が動物の
しっぽを模した形状に形成されている。当該第２の回動部材５には、連結板２内面の支軸１０および連結板３内面の支軸２０に対して嵌合する貫通孔２７が形成されている。
第２の回動部材５は、貫通孔２７を形成した部位に対して先端部が先細となる形状になっており、第２の回動部材５が展開している場合（図１（ａ）に示した状態）には底面２８が連結板２の底縁６および連結板３の底縁１６と略同一面となり、第２の回動部材４が収容された場合（９０度回動した場合）には、連結板２の後縁８および連結板３の後縁１８と略同一面となるようになっている。
【００１６】
前述のように、前記第１の回動部材４と第２の回動部材５は、それぞれ連結板２および連結板３に対して回動自在に支持されており、収容時には互いに緩衝しない形状に形成され、かつ連結板２および連結板３の底縁６および底縁１６から突出しないように形成されている。
【００１７】
図１（ｂ）は、前記連結板２および連結板３に対する第３乃至第６の各回動部材（３０、３１、３２、３３）の取り付け状態を表した図面である。第３の回動部材３０と第４の回動部材３１は動物の前脚を模した形状に形成され、第５の回動部材３２と第６の回動部材３３は動物の後脚を模した形状に形成されている。
第３の回動部材３０は、前記支軸１１と嵌合する貫通孔３４を端部側に有し、他端に前脚の足裏となる足底面３５と、当該足底面３５の後端部から略直角に設けられた後面３６が設けられた形状となっている。また、第３の回動部材３０の内側面３９（連結板２側）には、略中間付近に段部３７が設けられており、足底面３５側と貫通孔３４を設けた側とでは、第３の回動部材３０の貫通孔３４方向の厚さが異なっている。本実施の形態では、足底面３５側の厚さが略１０ｍｍであるのに対して、貫通孔３４側は連結板２と干渉する部分を若干薄く形成し略８ｍｍの厚さとなっている。当該肉厚を薄く形成した部分は、前記連結板２と摺接する部位（摺接部）であり、当該連結板２の板厚分薄く形成した段凹部となっている。
【００１８】
第３の回動部材３０は、展開時には動物の脚部を表すが、収容時には立方体を構成する側面の一部を成す部材となってる。本実施の形態の場合、第３の回動部材３０は立方体の角部に配置される部材であり、足底面３５、後面３６および外側面３８が、立方体を構成する６面のうち角部付近の３面の一部を構成するようになっている。
内側面３９に設けた段部３７は、連結板２の上縁４０に沿って形成されている。第３の回動部材３０を必要以上に回動させると段部３７が連結板２の上縁４０と当接して当該当接以降の回転を妨げ、立方体になって以後の変形を防止し、幼児が操作しても形状を立方体に戻しやすくなっている。
【００１９】
第４の回動部材３１は、前記第３の回動部材３０と左右対称の形状に形成された動物の前脚を模した部材であり、主な構造および作用は第３の回動部材３０と同一である。また、第５の回動部材３２および第６の回動部材３３は動物の前脚を模した部材であり、互いに左右対称の形状を成しており、両部材とも主な構造および作用は第３の回動部材３０と同一である。
なお、本実施の形態においては、第３の回動部材３０と第６の回動部材３３は同形状を成しており、共通部品として使用できるようになっている。同様に第４の回動部材３１と第５の回動部材３２は同形状を成しており、共通部品として使用できるようになっている。さらに、連結板２と連結板３も同一形状を成しているので共通部品として使用できるようになっている。このように、共通部品を多くすることにより部品の種類を少なくすることができ、製造コストの削減をすることができるようになっている。
【００２０】
図１（ｃ）は、上記構成による変形玩具１の、変形の前後の状態を表した斜視図である。１ａは変形前の立方体形状、１ｂは変形後の動物形状の変形玩具を表している。立方体
形状の変形玩具１ａは、一辺の長さが略３０ｍｍの正立方体となっている。第１乃至第６の各回動部材（４、５、３０、３１、３２、３３）は、連結板２、３との干渉部分を除き各部材の幅（厚さ）が略１０ｍｍに形成され、３当分した立方体の一部を構成している。回動部材の最も長く形成された面の長さは略３０ｍｍであり、立方体の一辺の長さと等しく形成されている。
また、本実施の形態に係る変形玩具１では、第３の回動部材３０の足底面３５と第５の回動部材３２の足底面４１が、同一平面上において前後方向に並び、立方体側面の一部を構成するようになっている。同様に、第４の回動部材３１の足底面４２と第６の回動部材３３の足底面４３が、同一平面上において前後方向に並び、立方体側面の一部を構成するようになっている。
【００２１】
第１乃至第６の各回動部材（４、５、３０、３１、３２、３３）は、各回動部材が有する貫通孔と連結板２、３に設けた各支軸を嵌合させることにより回動自在に保持したものである。また、各支軸には各貫通孔からの脱落を防止する手段を設けていないので、連結板２、３から各回動部材を取り外すことが可能となっている。
【００２２】
以上説明した変形玩具は、立方体の状態で一辺の長さが略３０ｍｍであり、幼児の小さな手でも扱いやすい大きさに形成されている。
そして、立方体の状態から所定の動物形状への形態変化は、連結板２、３を中心として各回動部材（４、５、３０、３１、３２、３３）を展開するように回動させるだけでよく、幼児であっても簡単に取り扱うことができるようになっている。このように、動物等を連想させることのない単純形状から動物等へ形態を変形させることができ、知育的効果の高い遊びを提供することができる。
また、各部材は部材間の嵌め合わせにより結合されているものであるから、容易に結合・分離ができるようになっている。したがって、部材の回転による単純な変形遊びに飽きたとしても、分解して組み立てるという、一つ高度な遊びを提供することができる。このように一つの玩具であって形態変形と分解・組み立てという２種類の知育的な遊びを提供することができるという作用効果を有している。
さらに、各回動部材（４、５、３０、３１、３２、３３）は、立方体形状時には隠れている連結板２、３を中心として前後それぞれの方向へ展開するようになっている。したがって、従来技術のように中心に位置する部材が正方形を成した部材である必要はなく、所定の形象に合わせて形状を設定することができ、種々の形態の変形玩具を形成することができるという作用効果を有している。
【００２３】
［第２の実施の形態］
図２は、第２の実施の形態に係る変形玩具を説明するための説明図である。本実施の形態に係る変形玩具５１は、展開時の形状は異なるものの、前述した変形玩具１と基本構造は同一である。
図２（ａ）は、一対の連結板５２、５３に回動自在に軸支される第１の回動部材５４と第２の回動部材５５を表している。連結板５２は、一辺（図２（ａ）に示した状態における後側の側縁）の長さが略３０ｍｍ長の直線状の後縁５６と、当該後縁５６の上下両端において当該後縁５６と略直角に設けられた上縁５７および下縁５８を有した板状体である。また、当該連結板５２の内側面には、前記第１の回動部材５４を軸支するための円柱状の支軸５９および第２の回動部材５５を回動自在に軸支するための円柱状の支軸６０が設けられている。
また、当該連結板５２の外側面には、後述する第３の回動部材を回動自在に軸支するための円柱状の支軸６１および第５の回動部材を回動自在に軸支するための円柱状の支軸６２が設けられている。当該支軸６１と前記支軸５９および支軸６２と支軸６０は、それぞれ連結板５２の表裏面において同軸となるように設けられている。
前記各支軸は、前記各回転体に設けた孔と嵌合することにより各回転体を回転可能に支
持し、各支軸表面と孔内面の摩擦力により回動位置を保持するようになっている。
【００２４】
連結板５３は、前記連結板５２と同一の形状に形成された部材であり、後縁６６と、当該後縁６６の両端に略直角に設けた上縁６７および下縁６８を有した板状体として形成されている。
当該連結板５３の内側面には、前記第１の回動部材５４を軸支するための支軸６９および第２の回動部材５５を回動自在に軸支するための支軸７０が設けられていおり、外側面には、後述する第４の回動部材を回動自在に軸支するための支軸７１および第６の回動部材を回動自在に軸支するための支軸７２が設けられている。当該支軸７１と前記支軸６９および支軸７２と支軸７０は、それぞれ連結板５３の表裏面において同軸となるように設けられている。
前記各支軸は、連結板５３より突出した円柱状の突起であり、当該突起と前記各回転体に設けた孔を嵌合させることにより回転可能に支持し、突起表面と孔内面の摩擦力により回動位置を保持するようになっている。
【００２５】
前記連結板５２と連結板５３は、内側面が互いに対向するように間隔を隔てて平行に配置され、当該対向した内側面に前記第１の回動部材５４および第２の回動部材５５を回動可能に軸支するようになっている。すなわち、第１の回動部材５４と第２の回動部材５５は、連結板５２と連結板５３に左右両側を挟まれた状態で、連結板５２と連結板５３の内側で回動可能となっている。
第１の回動部材５４は、厚さ（左右方向の幅）が略１０ｍｍであり、外形形状の輪郭が恐竜の頭部を模した形状に形成されている。当該第１の回動部材５４には、連結板５２内面の支軸５９および連結板５３内面の支軸６９に対して嵌合する貫通孔７３が形成されている。
図１（ａ）に示した状態において、第１の回動部材５４の後面７４は一辺の長さが略３０ｍｍの長さに形成され、当該後面７４の上端には当該後面７４と略直角面となる上面７５が設けられ、後面７４の下端には当該後面７４と略直角面となる底面７６が設けられている。
前記貫通孔７３は、角部付近であって中心位置が後面７４と底面７６とから等距離となる位置に設けられており、第１の回動部材５４が展開している場合（図２（ａ）に示した状態）には後面７４が連結板５２の後縁５６および連結板５３の後縁６６と略同一面となり、第１の回動部材５４が収容された場合（９０度回動した場合）には底面７６と連結板５２の後縁５６および連結板５３の後縁６６と略同一面かつ後面７４が連結板５２の上縁５７および連結板５３の上縁６７と略同一面となるようになっている。
【００２６】
第２の回動部材５５は、厚さ（回転軸方向の幅）が略１０ｍｍであり、外形形状が恐竜のしっぽを模した形状に形成されている。当該第２の回動部材５５には、連結板５２内面の支軸６０および連結板５３内面の支軸７０に対して嵌合する貫通孔７７が形成されている。
第２の回動部材５５は、貫通孔７７を形成した部位に対して先端部が先細となる形状になっており、第２の回動部材５５が展開している場合（図２（ａ）に示した状態）には、底面７８が下方を向いた状態で各連結板５２、５３の各後縁５６、６６から突出するようになっている。第２の回動部材５５が収容された場合（９０度回動した場合）には、連結板５２の下縁５８および連結板５３の下縁６８と略同一面となるようになっている。
【００２７】
前記第１の回動部材５４と第２の回動部材５５は、それぞれ連結板５２および連結板５３に対して回動自在に支持されており、収容時には互いに緩衝せず立方体形状の一部を形成し、連結板５２および連結板５３の後縁５６、６６上縁５７、６７、下縁５８、６８から突出しないようになっている。また展開時には、連結板５２および連結板５３が各縁から突出し恐竜形態の所定部位を構成するようになっている。
【００２８】
図２（ｂ）は、前記連結板５２および連結板５３に対する、第３乃至第６の各回動部材（８０、８１、８２、８３）の取り付け状態を表した図面である。第３の回動部材８０と第４の回動部材８１は恐竜の手腕を模した形状に形成され、第５の回動部材８２と第６の回動部材８３は恐竜の脚を模した形状に形成されている。
第３の回動部材８０は、前記支軸６１と嵌合する貫通孔８４を端部側（肩側）に有し、他端側は手を模して膨出させた厚さ略８ｍｍの部材である。また、第３の回動部材８０の上面８５と背面８６は互いに直角を成す平面となっており、連結板５２の後縁５６および上縁５７に沿って面位置となり収容時において立方体の側面の一部を構成するようになっている。
第４の回動部材８１は、前記第３の回動部材８０と同一形状に形成された恐竜の手腕模した部材であり、主な構造および作用は第３の回動部材８０と同一である。
【００２９】
第５の回動部材８２は恐竜の脚（左脚）を模した部材であり、右脚を模した第５の回動部材８２と左右対称の形状を成している。
第５の回動部材８２の上部には、支軸６２と回動可能に嵌合する貫通孔９０が設けられており、下部には前面９１、底面９２、後面９３を有する足の形状を模した膨出部が設けられている。底面９２は、恐竜形態の場合に載置面と接し、変形玩具５１を直立させた状態に保つ作用を有する。また、前面９１、底面９２、後面９３はおよび外側面は、収容時において立方体を構成する６面の一部を構成するようになっている。
【００３０】
第５の回動部材８２の内側面には、前後方向に亘って段部（図示せず）が設けられており、上部と下部において部材の肉厚が異なっている。上部の厚さは略８ｍｍであり、下部（前面９１、底面９２および後面９３の下部で構成される部位）の厚さは略１０ｍｍである。当該厚さが略８ｍｍの部位は、前記連結板５２と摺接する部位（摺接部）であり、当該連結板５２の板厚に相当する分肉厚を薄く形成した部位である。また、段部は前記連結板５２の前縁９４の形状に沿って形成されている。すなわち、第５の回動部材８２を収容方向に回動させた場合に段部が連結板５２の前縁９４と当接して必要以上の回転を妨げ、幼児が操作しても形状を立方体にしやすくなっている。
【００３１】
第６の回動部材８３も第５の回動部材８２と同様に恐竜の脚（左脚）を模した部材である。第６の回動部材８３の上部には、支軸７２と回動可能に嵌合する貫通孔９５が設けられており、下部には前面９６、底面９７、後面９８を有する足の形状を模した膨出部が設けられている。底面９７は、恐竜形態の場合に載置面と接し、第５の回動部材８２とともに変形玩具５１を直立させた状態に保つ作用を有する。また、前面９６、底面９７、後面９８および外側面は、収容時において立方体を構成する６面の一部を構成するようになっている。
【００３２】
第６の回動部材８３の内側面には、前後方向に亘って段部９９が設けられており、段部９９を境として上部と下部において部材の肉厚が異なっている。上部の厚さは略８ｍｍであり、下部（段部９９より下方の前面９１、底面９２および後面９３の下方）の厚さは略１０ｍｍである。当該厚さが略８ｍｍの部位は、前記連結板５３と摺接する部位であり、当該連結板５３の板厚に相当する分肉厚を薄く形成した部位である。また、段部９９は前記連結板５３の前縁１００の形状に沿って形成されている。すなわち、第５の回動部材８２を収容方向に回動させた場合に段部が連結板５３の前縁１００と当接して必要以上の回転を妨げ、幼児が操作しても形状を立方体にしやすくなっている。
【００３３】
図２（ｃ）は、上記構成による変形玩具５１の、変形の前後の状態を表した斜視図である。５１ａは変形前の立方体形状、５１ｂは変形後の恐竜形状の変形玩具を表している。立方体形状の変形玩具５１ａは、一辺の長さが略３０ｍｍの正立方体となっている。第１
乃至第６の各回動部材（５４、５５、８０、８１、８２、８３）は、連結板５２、５３との干渉部分を除き幅（厚さ）が略１０ｍｍに形成されており、３等分した立方体の一部を構成している。回動部材の最も長く形成された面の長さは略３０ｍｍであり、立方体の一辺の長さと等しく形成されている。
【００３４】
立方体形状では、第１の回動部材５４の上面１０１と第５の回動部材８２の底面９２と第６の回動部材８３の底面９７が立方体形状の一側面を形成している。同様に、第２の回動部材５５の後面７４、第３の回動部材８０の上面８５、第４の回動部材８１の上面１０２、第５の回動部材８２の前面９１および第６の回動部材８３の前面９６が立方体形状の一側面を形成している。第３の回動部材８０の外側面１０３と第５の回動部材８２の外側面１０４および第４の回動部材８１の外側面（図示せず）と第６の回動部材８３の外側面（図示せず）は、それぞれ立方体形状の一側面を形成している。
第５回動部材８２の後面９３、第６回動部材８３の後面９８、第２の回動部材５５の底面７８が立方体形状の一側面を形成している。また、第１の回動部材５４の底面７６、第２の回動部材５５の一部、第３回動部材８０の背面８６、第４回動部材８１の背面１０６、第５回動部材８２のの一部および第６回動部材８３のの一部が立方体形状の一側面を形成している。
【００３５】
以上説明したように、本第２の実施の形態に係る変形玩具５１では、一対の連結板５２、５３に回動可能に取り付けられた各回転部材によって、立方体形状から恐竜形態へと可逆的に変形させることができるようになっている。すなわち、各回転部材は恐竜等の所定の形象の一部を表した形状を表すとともに併せて平面部を有し、当該平面部が立法体の各側面の一部を構成するようになっている。
また、第１の実施の形態に係る変形玩具１と同様に、第１乃至第６の各回動部材（５４、５５、８０、８１、８２、８３）は、各回動部材が有する貫通孔と連結板５２、５３に設けた各支軸を嵌合させることにより回動自在に保持したものであり、各支軸には各貫通孔からの脱落を防止する手段を設けていないので、連結板５２、５３から各回動部材を取り外すことが可能となっている。
【００３６】
また、当該変形玩具５１は立方体の状態で一辺の長さが略３０ｍｍであり、幼児の小さな手でも扱いやすい大きさに形成されている。
そして、立方体の状態から恐竜形状への形態変化は、連結板５２、５３を中心として第１乃至第６の各回動部材（５４、５５、８０、８１、８２、８３）を展開するように回動させるだけでよく、幼児であっても簡単に取り扱うことができるようになっている。このように、恐竜等を連想させない単純形状から恐竜等へ形態を変形させることができ、知育的効果の高い遊びを提供することができる。
また、各部材は部材間の嵌め合わせにより結合されているものであるから、容易に結合・分離ができるようになっている。したがって、部材の回転による単純な変形遊びに飽きたとしても、分解して組み立てるという、一つ高度な遊びを提供することができる。このように一つの玩具であって形態変形と分解・組み立てという２種類の知育的な遊びを提供することができるという作用効果を有している。
さらに、第１乃至第６の各回動部材（５４、５５、８０、８１、８２、８３）は、立方体形状時には隠れている連結板５２、５３を中心としてそれぞれの方向へ展開するようになっている。したがって、従来技術のように中心に位置する部材が正方形を成した部材である必要はなく、所定の形象に合わせて形状を設定することができ、種々の形態の変形玩具を形成することができるという作用効果を有している。
【００３７】
［第３の実施の形態］
図３は、本願発明に係る変形玩具の第３の実施の形態を説明するための説明図である。主な構成要素の形状については前記第１の実施の形態と同様であるが、連結板２、３と各
回転部材を支持する軸の構造が異なっている。以下、当該相違点を中心に第３の実施の形態を説明する。なお、第１の実施の形態と同一の構成については同一の符号を付して説明する。
第３の実施の形態に係る変形玩具２００は、第１の実施の形態と同様の構成である第１の回動部材４、第２の回動部材５、第３の回動部材３０、第４の回動部材３１、第５の回動部材３２、第６の回動部材３３を有する。なお、第１の実施の形態とは連結板の構造が異なっている。
第３の実施の形態での連結板２０１、２０２は、板体部分の外形形状については第１の実施の形態と同じであるが、支軸を有していない点で構造が異なる。連結板２０１は別途設けられた軸体２０３、２０４を挿通させるための孔２０５、２０６を有し、連結板２０２は当該軸体２０３、２０４を挿通させるための孔２０７、２０８が設けられている。
【００３８】
前記軸体２０３、２０４は、直径略５ｍｍ、全長２０〜３０ｍｍの棒状体であり、中央付近外周に幅略１０ｍｍの間隔を隔てて２本の溝２０９、２１０を設けたものである。軸体２０３、２０４は第１の回動部材４の貫通孔２３および第２の回動部材５の貫通孔２７にそれぞれ適度な嵌め合い摩擦を有した状態で嵌挿されるようになっている（図３（ａ））。２本の溝２０９、２１０は、第１の回動部材４および第２の回動部材５の幅（略１０ｍｍ）と略一致するようになっており、軸体２０３、２０４が第１の回動部材４および第２の回動部材５に対して中央の適切な位置に配置されているか否かが目視できるようになっている（図３（ｂ））。
【００３９】
図３（ｂ）に示すように第１の回動部材４および第２の回動部材５に対して装着された軸体２０３、２０４には、両端から連結板２０１と連結板２０２が嵌挿されるようになっている。さらに、連結板２０１と連結板２０２を嵌挿した軸体２０３、２０４の両端には、第３の回動部材３０、第４の回動部材３１、第５の回動部材３２および第６の回動部材３３がそれぞれ嵌挿されるようになっている（図３（ｃ））。
上記のように、第１および第２の回動部材４、５と第３乃至、第６の回動部材３０、３１、３２、３３は、連結板２０１、２０２を介して軸体２０３、２０４によって回動可能に連結されるようになっている。当該構成により、図３（ｄ）に示すように第１の実施の形態と同様に、立方体形状２００ａから動物形状２００ｂへと可逆的に変形させることができるようになっており、第１乃至第６の各回動部材は部材間の摩擦力による嵌め合いによって結合しているものであるから幼児等によって分解・組み立てもできるようになっている。その他の作用効果についても第１の実施の形態と同様である。
【００４０】
［第４の実施の形態］
図４は、本願発明に係る変形玩具の第４の実施の形態を説明するための説明図である。主な構成要素の形状については前記第２の実施の形態と同様である。また、連結板に支軸を設けず別途設けた軸体で各回転部材を結合させた点で前記第３の実施の形態と同様である。
以下、当該相違点を中心に第３の実施の形態を説明する。なお、第２の実施の形態と同一の構成については同一の符号を付して説明する。
第４の実施の形態に係る変形玩具３００は、第２の実施の形態と同様の構成である第１の回動部材５４、第２の回動部材５５、第３の回動部材８０、第４の回動部材８１、第５の回動部材８２、第６の回動部材８３を有する。なお、第２の実施の形態とは連結板の構造が異なっている。
第４の実施の形態での連結板３０１、３０２は、板体部分の外形形状については第２の実施の形態と同じであるが、支軸を有していない点で構造が異なる。連結板３０１は別途設けられた軸体３０３、３０４を挿通させるための孔３０５、３０６を有し、連結板３０２は当該軸体３０３、３０４を挿通させるための孔３０７、３０８が設けられている。
【００４１】
前記軸体３０３、３０４は、直径略５ｍｍ、全長２０〜３０ｍｍの棒状体であり、中央付近外周に幅略１０ｍｍの間隔を隔てて２本の溝３０９、３１０を設けたものである。軸体３０３、３０４は第１の回動部材５４の貫通孔７３および第２の回動部材５５の貫通孔７７にそれぞれ適度な嵌め合い摩擦を有した状態で嵌挿されるようになっている（図４（ａ））。２本の溝３０９、３１０は、第１の回動部材５４および第２の回動部材５５の幅（略１０ｍｍ）と略一致するようになっており、軸体３０３、３０４が第１の回動部材５４および第２の回動部材５５に対して中央の適切な位置に配置されているか否かが目視できるようになっている（図４（ｂ））。
【００４２】
図４（ｂ）に示すように、第１の回動部材５４および第２の回動部材５５に対して装着された軸体３０３、３０４には、両端から連結板３０１と連結板３０２が嵌挿されるようになっている。さらに、連結板３０１と連結板３０２を嵌挿した軸体３０３、３０４の両端には、第３の回動部材８０、第４の回動部材８１、第５の回動部材８２および第６の回動部材８３がそれぞれ嵌挿されるようになっている（図４（ｃ））。
上記のように、第１および第２の回動部材５４、５５と第３乃至、第６の回動部材８０、８１、８２、８３は、連結板３０１、３０２を介して軸体３０３、３０４によって回動可能に連結されるようになっている。当該構成により、図４（ｄ）に示すように第１の実施の形態と同様に、立方体形状３００ａから恐竜形状３００ｂへと可逆的に変形させることができるようになっており、第１乃至第６の各回動部材は部材間の摩擦力による嵌め合いによって結合しているものであるから幼児等によって分解・組み立てもできるようになっている。その他の作用効果についても第２の実施の形態と同様である。
【図面の簡単な説明】
【００４３】
【図１】本願発明に係る変形玩具の第１の実施の形態を説明するための説明図である。
【図２】本願発明に係る変形玩具の第２の実施の形態を説明するための説明図である。
【図３】本願発明に係る変形玩具の第３の実施の形態を説明するための説明図である。
【図４】本願発明に係る変形玩具の第４の実施の形態を説明するための説明図である。
【符号の説明】
【００４４】
１  変形玩具
２、３  連結板
４  第１の回動部材
５  第２の回動部材
６  底縁
７  前縁
８  後縁
９、１０、１１、１２  支軸
１６  底縁
１７  前縁
１８  後縁
１９、２０、２１、２２  支軸
２３  貫通孔
２４  底面
２５  前面
２６  後面
２７  貫通孔
２８  底面
３０  第３の回動部材
３１  第４の回動部材
３２  第５の回動部材
３３  第６の回動部材
３４  貫通孔
３５  足底面
３６  後面
３７  段部
３８  外側面
３９  内側面
４０  上縁
４１、４２、４３  足底面
５１  変形玩具
５２、５３  連結板
５４  第１の回動部材
５５  第２の回動部材
５６  後縁
５７  上縁
５８  下縁
５９、６０、６１、６２  支軸
６６  後縁
６７  上縁
６８  下縁
６９、７０、７１、７２  支軸
７３  貫通孔
７４  後面
７５  上面
７６  底面
７７  貫通孔
７８  底面
８０  第３回動部材
８１  第４回動部材
８２  第５回動部材
８３  第６回動部材
８４  貫通孔
８５  上面
８６  背面
９０  貫通孔
９１  前面
９２  底面
９３  後面
９４  前縁
９５  貫通孔
９６  前面
９７  底面
９８  後面
９９  段部
１００  前縁
１０１、１０２  上面
１０３、１０４  外側面
１０６  背面
２００  変形玩具
２０１、２０２  連結板
２０３、２０４  軸体
２０５、２０６  孔
２０７、２０８  孔
２０９、２１０  溝
３００  変形玩具
３０１、３０２  連結板
３０３、３０４  軸体
３０５、３０６  孔
３０７、３０８  孔
３０９、３１０  溝
【図１】
2005205107.tif 000003
【図２】
2005205107.tif 000004
【図３】
2005205107.tif 000005
【図４】
2005205107.tif 000006